(57)【要約】      （修正有）【課題】伸縮可能とした間仕切り部材を備え、吸着手段の吸着力に基づいて間仕切り部材を全閉状態に保持する間仕切り装置において、開放操作時の操作力を軽減し得る開閉装置を備え、その開閉装置を容易に組み立て可能とする間仕切り装置の開閉装置を提供する。【解決手段】間仕切り部材を引き出したとき移動框をマグネットで対向面に吸着保持する間仕切り装置において、操作ハンドルは、移動框３にネジ１１で取着される軸受部８ａと、軸受部８ａに設けられた筒部１７に回動可能に支持される把持部９と、把持部９の回動に基づいて移動框３を対向面に対し回動させて、マグネット２６の吸着を解除する解除手段２２を備え、筒部１７はその中心線がネジの軸心の延長線Ｌと交差しない位置に設けた。【選択図】図４
0003145051.tif 000002
【実用新案登録請求の範囲】
【請求項１】
ハンガーレールに沿って移動可能に支持した間仕切り部材の端部に移動框を回動可能に支持し、前記移動框に操作ハンドルを取着し、該操作ハンドルを操作して前記移動框を前記ハンガーレールに沿って移動させることにより前記間仕切り部材を引き出し及び畳み込み可能とし、前記間仕切り部材を引き出したとき該移動框をマグネットで対向面に吸着保持する間仕切り装置において、
前記操作ハンドルは、
前記移動框にネジで取着される軸受部と、
前記軸受部に設けられた筒部に回動可能に支持される把持部と
前記把持部の回動に基づいて前記移動框を前記対向面に対し回動させて、前記マグネットの吸着を解除する解除手段と
を備え、
前記筒部は、その中心線が前記ネジの軸心の延長線と交差しない位置に設けたことを特徴とする間仕切り装置の開閉装置。
【請求項２】
前記筒部で前記把持部を回動可能に支持し、前記筒部を前記ネジの軸心の延長線に対し捩れの位置に設けたことを特徴とする請求項１記載の間仕切り装置の開閉装置。
【請求項３】
前記把持部の上下両端部を前記軸受部に回動可能に支持し、前記把持部の上下両端部に該把持部の回動にともなって前記対向面に当接する押圧部材を設けて前記解除手段を構成したことを特徴とする請求項１又は２記載の間仕切り装置の開閉装置。
【請求項４】
前記筒部を、前記軸受部の中心から前記移動框の先端面側にオフセットしたことを特徴とする請求項２又は３記載の間仕切り装置の開閉装置。
【請求項５】
前記筒部に捩りコイルスプリングを巻装し、該捩りコイルスプリングの一端を軸受部に当接させ、他端を前記把持部に当接させて、該捩りコイルスプリングの付勢力で前記把持部を原位置に向かって付勢したことを特徴とする請求項２又は４記載の間仕切り装置の開閉装置。
【考案の詳細な説明】
【技術分野】
【０００１】
この考案は、アコーデオンカーテンや折戸等の間仕切り装置の開閉装置に関するものである。
【背景技術】
【０００２】
アコーデオンカーテンは、蛇腹状に伸縮可能としたカーテン生地を壁面間で引き出し、あるいは一方の壁面側に畳み込んで、室内空間を適宜に区画するものである。このようなアコーデオンカーテンでは、操作框が壁面に当接するまでカーテン生地を引き出したとき、カーテン生地に作用する復元力により、操作框が後退して、壁面との間に隙間が生じる。
【０００３】
そこで、移動框と壁面にマグネットの吸着力を利用した固定装置が設けられ、移動框を壁面に当接するまで移動させれば、固定装置により操作框の後退を阻止して、カーテン生地を全閉状態に保持するようになっている。
【０００４】
このような固定装置を備えたアコーデオンカーテンでは、マグネットの吸着力を強くすると、操作框を壁面から引き離す際に大きな操作力が必要となる。一方、マグネットの吸着力を弱くすると、操作框を確実に保持することができない。そこで、十分な吸着力を確保しながら、操作框を壁面から容易に引き離し可能とすることが必要である。
【０００５】
特開２００３−２１４０１０号公報（文献１）、実開平７−１０３３２号公報（文献２）、特開昭５９−９６３７４号公報（文献３）には、ハンドルの回動操作に基づいてマグネットの磁極をずらすことにより、引き戸の開放操作時の操作力を軽減する構成が開示されている。また、特開平９−２５６６９３号公報（文献４）には、ハンドルの回動操作により、てこの作用で引き戸の開放操作時の操作力を軽減する構成が開示されている。また、実公昭５７−３０３９１号公報（文献５）にはアコーデオンカーテンをマグネットの吸着力により開放状態に保持し、把手の回動操作によりマグネットの吸着状態を解除する構成が開示されている。
【考案の開示】
【考案が解決しようとする課題】
【０００６】
文献１〜３に記載されているように、マグネットの磁極をずらすことにより、操作力を軽減する構成では、固定側のマグネット及び回動側のマグネットにＳ極及びＮ極を複数備えたマグネットを使用する必要があるため、コストが上昇するとともに、マグネットの取付時に磁極の相対位置を調整する必要があるため、組み立て作業が煩雑となる。
【０００７】
また、文献４では、マグネットの吸着を解除するための構成は開示されていない。文献５では、把手の回動操作によりマグネットをその吸着方向に沿って引き離すため、マグネットの吸着を解除するためにはマグネットの吸着力を超える力でマグネットと吸着枠とを引き離す必要がある。従って、把手を回動させるために大きな操作力が必要となる。
【０００８】
この考案の目的は、伸縮可能とした間仕切り部材を備え、吸着手段の吸着力に基づいて間仕切り部材を全閉状態に保持する間仕切り装置において、開放操作時の操作力を軽減し得る開閉装置を備え、その開閉装置を容易に組み立て可能とすることにある。
【課題を解決するための手段】
【０００９】
請求項１では、ハンガーレールに沿って移動可能に支持した間仕切り部材の端部に移動框を回動可能に支持し、前記移動框に操作ハンドルを取着し、該操作ハンドルを操作して前記移動框を前記ハンガーレールに沿って移動させることにより前記間仕切り部材を引き出し及び畳み込み可能とし、前記間仕切り部材を引き出したとき該移動框をマグネットで対向面に吸着保持する間仕切り装置において、前記操作ハンドルは、前記移動框にネジで取着される軸受部と、前記軸受部に設けられた筒部に回動可能に支持される把持部と、前記把持部の回動に基づいて前記移動框を前記対向面に対し回動させて、前記マグネットの吸着を解除する解除手段とを備え、前記筒部は、その中心線が前記ネジの軸心の延長線と交差しない位置に設けた。
【００１０】
請求項２では、前記筒部で前記把持部を回動可能に支持し、前記筒部を前記ネジの軸心の延長線に対し捩れの位置に設けた。
請求項３では、前記把持部の上下両端部を前記軸受部に回動可能に支持し、前記把持部の上下両端部に該把持部の回動にともなって前記対向面に当接する押圧部材を設けて前記解除手段を構成した。
【００１１】
請求項４では、前記筒部を、前記軸受部の中心から前記移動框の先端面側にオフセットした。
請求項５では、前記筒部に捩りコイルスプリングを巻装し、該捩りコイルスプリングの一端を軸受部に当接させ、他端を前記把持部に当接させて、該捩りコイルスプリングの付勢力で前記把持部を原位置に向かって付勢した。
【考案の効果】
【００１２】
本考案によれば、伸縮可能とした間仕切り部材を備え、吸着手段の吸着力に基づいて間仕切り部材を全閉状態に保持する間仕切り装置において、開放操作時の操作力を軽減し得る開閉装置を備え、その開閉装置を容易に組み立てることができる。
【考案を実施するための最良の形態】
【００１３】
以下、この考案を具体化した間仕切り装置の一実施の形態を図面に従って説明する。図１に示すアコーデオンカーテンは、パンタグラフ状に伸縮する骨組み１の前後両側に表面材２が取着されて本体部（間仕切り部材）が構成され、その骨組み１の一端の支軸１ａに移動框３が相対回動可能に取着され、他端の支軸１ｂに固定框４が相対回動可能に取着されている。
【００１４】
前記固定框４は壁面５に固定され、前記移動框３の前後両面における上下方向中央部には操作ハンドル６がそれぞれ取着されている。
そして、前記骨組み１が複数のランナーを介してハンガーレールに移動可能に吊下支持され、操作ハンドル６を操作することにより骨組み１及び表面材２をハンガーレールに沿って伸縮可能となっている。
【００１５】
図２及び図３に示すように、前記操作ハンドル６は移動框３に固定される基板７の上下両端部に同一形状の軸受部８ａ，８ｂが線対称状に固定され、その軸受部８ａ，８ｂ間に把持部９が回動可能に支持されている。把持部９は、前後方向及び左右方向に湾曲した形状に形成され、居住者が掴み易い形状となっている。
【００１６】
操作ハンドル６の具体的構成を説明すると、基板７の上下両端部にはネジ孔１０が形成されている。前記軸受部８ａ，８ｂの背面にはネジ１１を挿通可能とした透孔１２が形成され、その透孔１２に挿通したネジ１１を前記ネジ孔１０に螺入することにより、軸受部８ａ，８ｂが基板７の上下両端部に支持される。
【００１７】
そして、軸受部８ａ，８ｂと基板７との間に移動框３のリブ１３を挟んだ状態でネジ１１をネジ孔１０に螺入することにより、リブ１３が軸受部８ａ，８ｂと基板７との間に挟着されて、基板７及び軸受部８ａ，８ｂが移動框３に固定される。
【００１８】
前記把持部９の上下両端部には、前記軸受部８ａの下面及び軸受部８ｂの上面に沿って水平方向に延びる支持片１４ａ，１４ｂが形成され、その支持片１４ａ，１４ｂにはネジ１５を螺入可能とした支軸１６がそれぞれ形成されている。
【００１９】
軸受部８ａ，８ｂには、前記支軸１６を挿入可能とした筒部１７が垂直方向に形成され、その筒部１７に前記支持片１４ａ，１４ｂの支軸１６が回動可能に支持されている。そして、支軸１６にネジ１５が螺入されて、把持部９が軸受部８ａ，８ｂ間で回動可能に支持されている。
【００２０】
図４に示すように、前記筒部１７は軸受部８ａ，８ｂの左右方向の中心から移動框３の先端面方向にオフセットした位置に形成され、前記把持部９の支軸１６も同様にオフセットされている。従って、ネジ１５の軸心とネジ１１の軸心は捩れの位置にあり、ネジ１５の頭部はネジ１１の軸心の延長線Ｌから離れて位置している。
【００２１】
前記軸受部８ａ，８ｂには、前記筒部１７の側方に長孔１８が形成されている。この長孔１８は筒部１７を中心とする円弧に沿うように湾曲している。
前記把持部９の支持片１４ａ，１４ｂには、前記支軸１６にネジ１５を挿通した状態で前記長孔１８内に突出する案内軸１９が形成されている。従って、案内軸１９が長孔１８内で移動可能であり、把持部９は案内軸１９の移動範囲内で、軸受部８ａ，８ｂに回動可能に支持されている。
【００２２】
前記筒部１７の周囲には捩りコイルスプリング２０が巻装され、その捩りコイルスプリング２０の一端は前記軸受部８ａ，８ｂの内側面に当接し、他端は前記案内軸１９に当接している。そして、図４に示すように、捩りコイルスプリング２０の付勢力により、案内軸１９が長孔１８の一端部に位置している状態では、把持部９が軸受部８ａ，８ｂに対し相対回動していない状態に保持される。
【００２３】
また、図５に示すように、軸受部８ａ，８ｂに把持部９を回動させると、案内軸１９が長孔１８に沿って移動して、捩りコイルスプリング２０が蓄勢されるようになっている。
前記把持部９の上下両端部には、前記移動框３に対向する柱面（対向面）２１に向かって突出する同一形状の押圧部材（解除手段）２２が形成され、その押圧部材２２はゴム状の柔軟材で形成されている。前記押圧部材２２は把持部９の上下両端部から移動框３の先端面の側縁部まで突出するように形成されている。
【００２４】
この押圧部材２２は、図５に示すように、把持部９を本体部の畳み込み方向に回動させたとき、柱面２１に当接して、移動框３を支軸１ａを回動支点として回動させるようになっている。また、図４に示すように、押圧部材２２が移動框３に当接している状態では、把持部９の柱面方向への回動が阻止されるようになっている。
【００２５】
図６に示すように、前記押圧部材２２の後部、すなわち移動框３の引き出し方向に対して後方に位置する部分に斜状の切除部２３が形成されている。そして、図７に示すように、把持部９の回動時に押圧部材２２と基板７との干渉を防止可能としている。
【００２６】
前記軸受部８ａ，８ｂにはその上面及び前面を覆うカバー２４が弾性的に嵌着され、前記ネジ１１，１５等を覆い隠すようになっている。なお、カバー２４の前面は把持部９に連なる曲面となっている。
【００２７】
図２に示すように、前記移動框３には柱面２１との対向面にクッション材２５が嵌着され、柱面２１との衝突による異音の発生を防止している。
また、前記操作ハンドル６の上方及び下方の少なくとも２箇所において前記クッション材２５が切除され、その切除部分にはマグネット２６がそれぞれ嵌着されている。そして、マグネット２６の端面すなわち柱面２１に対向する面にはヨーク板２７が露出されている。
【００２８】
図４に示すように、前記柱面２１には前記各マグネット２６に対向する位置に磁性材にてなる吸着板２８が取着されている。そして、移動框３が柱面２１近傍まで引き出されて、ヨーク板２７が吸着板２８に当接すると、マグネット２６の吸着力によりヨーク板２７が吸着板２８に吸着保持されるようになっている。
【００２９】
次に、上記のように構成されたアコーデオンカーテンの動作を説明する。
さて、アコーデオンカーテンを閉じる場合には、操作ハンドル６を操作して、移動框３を柱面２１側に移動させる。すると、本体部が移動框３に追随して引き伸ばされながら移動する。このとき、操作ハンドル６の把持部９は回動することなく図２に示す状態に維持される。
【００３０】
移動框３を柱面２１に当接するまで移動させると、図４に示すように、ヨーク板２７が吸着板２８に吸着され、移動框３が柱面２１に密接する状態に保持される。従って、この状態では表面材２及び骨組み１の復元力に抗して本体部が全閉状態に保持される。
【００３１】
全閉状態にある本体部を開放する場合には、把持部９を本体部の開放方向すなわち図４に示す矢印Ａ方向に回動させる。把持部９がネジ１１を回動支点として矢印Ａ方向に回動されると、図４に示すように、押圧部材２２が柱面２１に向かって移動して柱面２１に当接するため、移動框３が支軸１ａを回動支点として回動される。
【００３２】
このような動作により、まず操作された把持部９に近い一方のヨーク板２７が吸着板２８から引き離され、次いで他方のヨーク板２７が吸着板２８から引き離される。
移動框３が吸着板２８から引き離された後は、操作ハンドル６の操作により移動框３をハンガーレールに沿って移動させれば、本体部が固定框４側に畳み込まれる。そして、移動框３を所望位置まで移動させた後に把持部９を手放せば、捩りコイルスプリング２０の付勢力により把持部９は原位置に復帰する。
【００３３】
上記のように構成されたアコーデオンカーテンでは、次に示す作用効果を得ることができる。
（１）操作ハンドル６を操作することにより移動框３を移動させて、アコーデオンカーテンの本体部をハンガーレールに沿って引き出し、あるいは畳み込むことができる。
（２）移動框３に取着されたマグネット２６を柱面２１の吸着板２８に吸着させることができるので、本体部を全閉状態まで引き出したとき、移動框３を柱面２１に密接する状態に保持して、本体部を全閉状態に保持することができる。
（３）移動框３が柱面２１に保持されている状態から本体部を開放するとき、操作ハンドル６の回動操作により、移動框３を柱面２１に対し回動させて、マグネット２６のヨーク板２７を吸着板２８から順次引き離すことができる。従って、移動框３を柱面２１から引き離すための操作力を軽減することができる。
（４）操作ハンドル６の回動操作により、てこの作用を利用して移動框３を柱面２１に対し回動させることができる。従って、移動框３を柱面２１から引き離すための操作力を軽減することができる。
（５）てこの作用を利用するので、操作ハンドル６を大型化することなく、移動框３を柱面２１から引き離すための所要の操作力を確保することができる。従って、操作ハンドル６の大型化による美観の低下あるいはコストの上昇を防止することができる。
（６）把持部９の回動支点となる筒部１７を、軸受部８ａ，８ｂの左右方向の中心から移動框３の先端面方向にオフセットした位置に形成したので、ネジ１５の頭部をネジ１１の軸心の延長線Ｌから離れて位置させることができる。すると、把持部９を支持した軸受部８ａ，８ｂを移動框３に固定するとき、ネジ１１の螺入するための工具とネジ１５の頭部との干渉を防止することができる。従って、操作ハンドル６の移動框３への取り付け作業を容易に行うことができる。
（７）筒部１７をオフセットしたことにより、軸受部８ａ，８ｂの上下方向の寸法を拡大することなく、ネジ１１の螺入するための工具とネジ１５の頭部との干渉を防止することができる。従って、軸受部８ａ，８ｂの大型化を防止することができる。
（８）筒部１７を移動框３の先端面方向にオフセットしたので、押圧部材２２が柱面２１に当接するまでの把持部９の回動角度を小さくすることができる。従って、把持部９の回動により移動框３を容易に回動させることができる。
（９）操作ハンドル６の押圧部材２２を移動框３の近傍まで延設したので、柱面２１の幅が狭い場合にも、押圧部材２２を柱面２１に確実に当接させることができる。
（１０）押圧部材２２を把持部９の上下両端部にそれぞれ設けたので、把持部９の回動に基づいて各押圧部材２２を柱面２１に当接させることができる。従って、把持部９の回動に基づいて移動框３を確実に回動させることができる。
（１１）操作ハンドル６に内蔵された捩りコイルスプリング２０により、操作ハンドル６の不操作時には把持部９を原位置に自動的に復帰させることができる。
（１２）１つの磁極を備えたマグネット２６を移動框３のみに配設すればよく、その磁極の配置にはまったく制限がない。従って、組み立て作業を容易に行うことができる。
【００３４】
上記実施の形態は、以下の態様で実施してもよい。
・上記各実施の形態の操作ハンドルは、折戸に使用してもよい。
【図面の簡単な説明】
【００３５】
【図１】アコーデオンカーテンを示す平面図である。
【図２】操作ハンドルを示す斜視図である。
【図３】操作ハンドルを示す断面図である。
【図４】移動框を示す平面図である。
【図５】操作ハンドルの動作を示す平面図である。
【図６】押圧部材の動作を示す平面図である。
【図７】押圧部材の動作を示す平面図である。
【符号の説明】
【００３６】
１…間仕切り部材（骨組み）、２…間仕切り部材（表面材）、３…移動框、６…操作ハンドル、８ａ，８ｂ…軸受部、９…把持部、１１…ネジ、１７…筒部、２１…対向面（柱面）、２２…解除手段（押圧部材）、２６…マグネット。
【図１】
0003145051.tif 000003
【図２】
0003145051.tif 000004
【図３】
0003145051.tif 000005
【図４】
0003145051.tif 000006
【図５】
0003145051.tif 000007
【図６】
0003145051.tif 000008
【図７】
0003145051.tif 000009